(57)【要約】【課題】規制用品の設置および回収作業をより簡易かつ簡潔に行なうことができる搬送機能付き標識具および規制用品の搬送方法を提供する。【解決手段】本発明の搬送機能付き標識具１０Ａは、バーコーン２１を載置するための台座１１と、台座１１の上部に立設された支柱１２Ａ、１２Ｂと、台座１１の下部に設けられ、台座１１を移動可能とするキャスター１３と、支柱１２に設けられ、標識２２を着脱可能とする取付部１６とを有し、取付部１６に標識が取り付けられることを特徴とする。【選択図】図２
2015067948.tif 000002
【特許請求の範囲】
【請求項１】
規制用品を載置するための台座と、
前記台座の上部に立設された複数の支柱と、
前記台座の下部に設けられ、前記台座を移動可能とする走行部と、
前記支柱に設けられ、標識を着脱可能とする取付部と、
を有し、
前記取付部に前記標識が取り付けられることを特徴とする、搬送機能付き標識具。
【請求項２】
前記走行部が、前記台座の下部に３つ以上設けられ、前記台座を並行移動させる、請求項１に記載の搬送機能付き標識具。
【請求項３】
前記台座が２つ以上設けられ、
前記台座の側面および下部の何れか一方または両方に設けられる連結部を有し、
前記台座同士をワイヤーで連結する、請求項１または２に記載の搬送機能付き標識具。
【請求項４】
規制用品を載置するための台座と、
前記台座を底部より所定間隔を持って保持する複数の支柱と、
前記台座の側面に設けられる補助台座と、
前記補助台座の下部に設けられる一対の走行部と、
前記補助台座の上部に設けられ、前記支柱よりも高い位置で両端が連結され、Ｕ字型を形成する操作部と、
前記支柱と前記操作部との何れか一方または両方に設けられ、標識を着脱可能とする取付部と、
を有し、
前記取付部に前記標識が取り付けられることを特徴とする、搬送機能付き標識具。
【請求項５】
規制用品を載置するための台座と、
前記台座を底部より所定間隔を持って保持する複数の支柱と、
前記台座の側面から延設して設けられる延設部と、
前記延設部の上部に設けられ、前記支柱よりも高い位置で両端が連結され、Ｕ字型を形成する操作部と、
前記操作部に設けられる一対の走行部と、
前記支柱と前記操作部との何れか一方または両方に設けられ、標識を着脱可能とする取付部と、
を有し、
前記取付部に前記標識が取り付けられることを特徴とする、搬送機能付き標識具。
【請求項６】
前記取付部が、一対の前記支柱に対向して設けられると共に、前記支柱の長手方向に対して直交する方向の断面形状が、Ｌ字型である、請求項１から５の何れか１項に記載の搬送機能付き標識具。
【請求項７】
前記取付部が、少なくとも２つ設けられる、請求項１から６の何れか１項に記載の搬送機能付き標識具。
【請求項８】
前記支柱の壁面から延出し、隣接する前記支柱同士を連結する補強部が、前記支柱の長軸方向に沿って１つ以上設けられる、請求項１から７の何れか１項に記載の搬送機能付き標識具。
【請求項９】
前記標識が、看板である、請求項１から８のいずれか一項に記載の搬送機能付き標識具。
【請求項１０】
規制用品を載置するための台座と、前記台座の上部に立設された複数の支柱と、前記台座の下部に設けられ、前記台座を移動可能とする走行部と、前記支柱に設けられ、標識を着脱可能とする取付部とを有する搬送機能付き標識具を用いて、前記台座を移動させながら前記規制用品を前記台座から取り出した後、前記標識の設置台として用いることを特徴とする、規制用品の搬送方法。
【請求項１１】
規制用品を載置するための台座と、前記台座を底部より所定間隔を持って保持する複数の支柱と、前記台座より上方の位置に前記支柱の側面から延設して設けられる延設部と、前記支柱の上部に設けられ、一対の前記支柱を連結する連結部と、前記延設部の下部に設けられる一対の走行部と、前記延設部と前記連結部とを連結する操作部と、前記支柱と前記操作部との何れか一方または両方に設けられ、標識を着脱可能とする取付部とを有する搬送機能付き標識具を用いて、前記台座を移動させながら前記規制用品を前記台座から取り出した後、前記標識の設置台として用いることを特徴とする、規制用品の搬送方法。
【請求項１２】
規制用品を載置するための台座と、前記台座を底部より所定間隔を持って保持する複数の支柱と、前記台座より上方の位置に前記支柱の側面から延設して設けられる延設部と、前記支柱の上部に設けられ、一対の前記支柱を連結する連結部と、前記延設部と前記連結部とを連結する操作部と、前記連結部の下部に設けられる一対の走行部と、前記支柱と前記操作部との何れか一方または両方に設けられ、標識を着脱可能とする取付部と、を有する搬送機能付き標識具を用いて、前記台座を移動させながら前記規制用品を前記台座から取り出した後、前記標識の設置台として用いることを特徴とする、規制用品の搬送方法。
【発明の詳細な説明】
【技術分野】
【０００１】
本発明は、搬送機能付き標識具および規制用品の搬送方法に関し、特に、路上に設置されるカラーコーン（登録商標）などの規制用品を搬送ないし設置する搬送機能付き標識具および規制用品の搬送方法に関する。
【背景技術】
【０００２】
一般に、道路工事、電線工事、電線工事、建設工事などの工事現場、コンサートやイベント会場、交通事故の検証現場、交通取締りの検問現場などでは、通行人や車両に対して、立ち入り禁止区域や駐車禁止区域、または通行人や車両の誘導方向を表示する広告や案内として、看板などの標識が使用されている。
【０００３】
また、工事現場、コンサートやイベント会場などで通行人や車両などが立ち入り禁止区域、駐車禁止区域、誘導方向などを設けるため、規制用品として、例えば、カラーコーン（登録商標）などのようなラバーコーンを路上に所定間隔で並べて設置している。例えば、図１３に示すように、ラバーコーン１００は、内部が空洞で先端部は丸みを帯びた円錐状のコーン本体１０１と、これを支える四角形状の台座１０２とからなる。台座１０２のその上部に段部１０３を設け、段部１０３にコーン本体１０１が一体に形成されている。ラバーコーン１００の転倒を防止して安定した状態でラバーコーン１００が設置できるように、台座１０２上には、コーンベッド（重石）１０５が載置されている。コーンベッド１０５は、一般にゴムからなり、重さが数ｋｇ（例えば、２ｋｇ）であってリング状に形成されたものが使用されている。
【０００４】
ラバーコーンは、車両で運搬するとき、積み重ねて搭載されるが、上記の通り、重量があり、大きく嵩張るため、数が多い場合には、手作業での設置や回収に労力を要する。また、ラバーコーンとコーンベッドはそれぞれ別々に用意されており、その両方を車両に積載する作業も必要である。このため、ラバーコーンの設置および回収作業を簡易に行なうことができる方法が提案されている（例えば、特許文献１〜３参照）。
【０００５】
特許許文献１〜３には、例えば、トラック等の車両の荷台には、ラバーコーンを設置する位置決めをして複数個積み重ねることが可能なラバーコーン載置位置決め手段と、ラバーコーン検出用のセンサーと、路面上とテーブル等との間を移動自在としたロボットアームとを備えたラバーコーン払出し及び収納装置が設置され、車両の荷台に複数積載したラバーコーンを荷台から路面上に設置したり、路面上に設置したラバーコーンを車両の荷台に積載する方法が開示されている。
【先行技術文献】
【特許文献】
【０００６】
【特許文献１】特開２００４−２３２２１５号公報
【特許文献２】特開平８−９２９２１号公報
【特許文献３】特開平５−３１１６２２号公報
【発明の概要】
【発明が解決しようとする課題】
【０００７】
しかしながら、特許文献１〜３に記載のような装置を用いてラバーコーンなどの設置や回収を行なう方法では、装置の構造やその操作が複雑である上、装置も大掛かりであり、高価になる。また、このような装置は、車両が十分走行できる空間が必要であるため、狭い空間にラバーコーンを設置したり回収するのに用いることは困難であり、装置の保管も不便である。そのため、道路工事や建築工事の現場、コンサートやイベント会場などにおいて多数の作業員が容易に用いることは困難である。
【０００８】
そのため、ラバーコーンなどの設置や回収作業をより簡易かつ簡潔に行なうことができる方法が希求されている。
【０００９】
本発明は、上述した問題に鑑みてなされたものであり、規制用品の設置および回収作業をより簡易かつ簡潔に行なうことができる搬送機能付き標識具および規制用品の搬送方法を提供するものである。
【課題を解決するための手段】
【００１０】
上述の課題を解決するため、本発明による搬送機能付き標識具は、規制用品を載置するための台座と、前記台座の上部に立設された複数の支柱と、前記台座の下部に設けられ、前記台座を移動可能とする走行部と、前記支柱に設けられ、標識を着脱可能とする取付部と、を有し、前記取付部に前記標識が取り付けられることを特徴とする。
【００１１】
本発明においては、前記走行部が、前記台座の下部に３つ以上設けられ、前記台座を並行移動させることが好ましい。
【００１２】
本発明においては、前記台座が２つ以上設けられ、前記台座の側面および下部の何れか一方または両方に設けられる連結部を有し、前記台座同士をワイヤーで連結することが好ましい。
【００１３】
本発明による別の搬送機能付き標識具は、規制用品を載置するための台座と、前記台座を底部より所定間隔を持って保持する複数の支柱と、前記台座の側面に設けられる補助台座と、前記補助台座の下部に設けられる一対の走行部と、前記補助台座の上部に設けられ、前記支柱よりも高い位置で両端が連結され、Ｕ字型を形成する操作部と、前記支柱と前記操作部との何れか一方または両方に設けられ、標識を着脱可能とする取付部と、を有し、前記取付部に前記標識が取り付けられることを特徴とする。
【００１４】
本発明による別の搬送機能付き標識具は、規制用品を載置するための台座と、前記台座を底部より所定間隔を持って保持する複数の支柱と、前記台座の側面から延設して設けられる延設部と、前記延設部の上部に設けられ、前記支柱よりも高い位置で両端が連結され、Ｕ字型を形成する操作部と、前記操作部に設けられる一対の走行部と、前記支柱と前記操作部との何れか一方または両方に設けられ、標識を着脱可能とする取付部と、を有し、前記取付部に前記標識が取り付けられることを特徴とする。
【００１５】
本発明においては、前記取付部が、一対の前記支柱に対向して設けられると共に、前記支柱の長手方向に対して直交する方向の断面形状が、Ｌ字型であることが好ましい。
【００１６】
本発明においては、前記取付部が、少なくとも２つ設けられることが好ましい。
【００１７】
本発明においては、前記支柱の壁面から延出し、隣接する前記支柱同士を連結する補強部が、前記支柱の長軸方向に沿って１つ以上設けられることが好ましい。
【００１８】
本発明においては、前記標識が、看板であることが好ましい。
【００１９】
本発明の別の規制用品の搬送方法は、規制用品を載置するための台座と、前記台座の上部に立設された複数の支柱と、前記台座の下部に設けられ、前記台座を移動可能とする走行部と、前記支柱に設けられ、標識を着脱可能とする取付部とを有する搬送機能付き標識具を用いて、前記台座を移動させながら前記規制用品を前記台座から取り出した後、前記標識の設置台として用いることを特徴とする。
【００２０】
本発明の別の規制用品の搬送方法は、規制用品を載置するための台座と、前記台座を底部より所定間隔を持って保持する複数の支柱と、前記台座より上方の位置に前記支柱の側面から延設して設けられる延設部と、前記支柱の上部に設けられ、一対の前記支柱を連結する連結部と、前記延設部の下部に設けられる一対の走行部と、前記延設部と前記連結部とを連結する操作部と、前記支柱と前記操作部との何れか一方または両方に設けられ、標識を着脱可能とする取付部とを有する搬送機能付き標識具を用いて、前記台座を移動させながら前記規制用品を前記台座から取り出した後、前記標識の設置台として用いることを特徴とする。
【００２１】
本発明の別の規制用品の搬送方法は、規制用品を載置するための台座と、前記台座を底部より所定間隔を持って保持する複数の支柱と、前記台座より上方の位置に前記支柱の側面から延設して設けられる延設部と、前記支柱の上部に設けられ、一対の前記支柱を連結する連結部と、前記延設部と前記連結部とを連結する操作部と、前記連結部の下部に設けられる一対の走行部と、前記支柱と前記操作部との何れか一方または両方に設けられ、標識を着脱可能とする取付部と、を有する搬送機能付き標識具を用いて、前記台座を移動させながら前記規制用品を前記台座から取り出した後、前記標識の設置台として用いることを特徴とする。
【発明の効果】
【００２２】
本発明によれば、規制用品の設置および回収作業をより簡易かつ簡潔に行なうことができる標識具を実現することができる。
【図面の簡単な説明】
【００２３】
【図１】本発明による第１の実施形態に係る搬送機能付き標識具の構成を示す図である。
【図２】搬送機能付き標識具と看板とを分離した状態を示す図である。
【図３】搬送機能付き標識具に看板を取り付けた状態を示す図である。
【図４】ラバーコーンの搬送方法の工程の一例を示す説明図である。
【図５】ラバーコーンの搬送方法の工程の他の一例を示す説明図である。
【図６】本発明による第１の実施形態に係る搬送機能付き標識具の構成の他の一例を示す図である。
【図７】本発明による第１の実施形態に係る搬送機能付き標識具の構成の他の一例を示す図である。
【図８】本発明の第２の実施形態に係る搬送機能付き標識具の構成を示す図である。
【図９】搬送機能付き標識具に看板を取り付けた状態を示す図である。
【図１０】ラバーコーンの搬送方法の工程の一例を示す説明図である。
【図１１】ラバーコーンの搬送方法の工程の他の一例を示す説明図である。
【図１２】本発明による第２の実施形態に係る搬送機能付き標識具の構成の他の一例を示す図である。
【図１３】ラバーコーンの搬送方法を示す説明図である。
【図１４】カラーコーンの一例を示す図である。
【発明を実施するための形態】
【００２４】
以下、本発明を実施するための形態（以下、実施形態という）を図面に基づいて詳細に説明する。なお、下記実施形態により本発明が限定されるものではない。また、下記実施形態における構成要素には、当業者が容易に想定できるもの、実質的に同一のものが含まれる。さらに、下記実施形態で開示した構成要素は適宜組み合わせることが可能である。
【００２５】
［第１の実施形態］
＜搬送機能付き標識具＞
本発明による第１の実施形態に係る搬送機能付き標識具の実施形態について説明する。図１は、本実施形態に係る搬送機能付き標識具の構成を示す図である。図１に示すように、搬送機能付き標識具１０Ａは、台座１１と、支柱１２と、キャスター（走行部）１３と、補強部１４と、取付部１５とを備えており、取付部１５に標識が取り付けられる。搬送機能付き標識具１０Ａは、ラバーコーン２１を搬送する台車としても機能するものである。
【００２６】
台座１１は、ラバーコーン２１を載置するための台であり、方形の板状に形成されたものである。台座１１の大きさはラバーコーン２１が設置できる面積であればよく、規制用品に応じて適宜調整するようにしてもよい。
【００２７】
支柱１２は、台座１１の上部の四隅に設けられており、一対の支柱１２が台座１１の上部に２組設けられている。支柱１２は、搬送方向（図１中、右方向）側に設けられる一対の支柱１２Ａと、搬送方向（図１中、右方向）とは反対側の設けられる一対の支柱１２Ｂとで構成されている。
【００２８】
支柱１２の高さは、特に限定されるものではなく、台座１１に載せられるラバーコーン２１の数、大きさなどに応じて適宜任意の高さに調整することができる。本実施形態においては、支柱１２Ａの高さは、支柱１２Ｂの高さと同じ高くにして構成されている。
【００２９】
キャスター１３は、台座１１の下部の四隅に設けられ、台座１１を任意の方向に移動可能とするものである。キャスター１３の数は、４つとしているが、これに限定されるものではなく、台座１１の走行が可能であればよく、例えば、３つ以上もでもよい。
【００３０】
補強部１４は、支柱１２Ａの壁面から延出し、隣接する支柱１２Ａ同士、隣接する支柱１２Ｂ同士、および支柱１２Ａと支柱１２Ｂとの一方を連結している。また、補強部１４は、支柱１２Ａ、１２Ｂの長軸方向に沿って２段で設けられている。なお、補強部１４の数は、２つに限定されるものではなく、１つでもよいし、３つ以上でもよい。補強部１４を支柱１２Ａ、１２Ｂに設けることにより、支柱１２Ａ、１２Ｂを台座１１に安定して立設することができると共に、台座１１を移動する際にラバーコーン２１が台座１１から落ちるのを防止することができる。
【００３１】
取付部１５が、支柱１２Ａ、１２Ｂにそれぞれ設けられ、図２に示すように、看板などの標識２２を挿脱可能とするものである。具体的には、取付部１５は、一対の支柱１２Ａ、一対の支柱１２Ｂ、および一方の支柱１２Ａと支柱１２Ｂとに一対対向して設けられると共に、支柱１２Ａ、１２Ｂの長手方向に対して直交する方向の断面形状がＬ字型に形成された板状部材である。これにより、取付部１５と支柱１２Ａまたは支柱１２Ｂとにより形成される形状が、支柱１２Ａ、１２Ｂの長手方向から見たとき、コの字型に形成される。これにより、取付部１５と支柱１２Ａまたは支柱１２Ｂとにより形成されるコの字型の内部には収容空間Ａが形成される。そのため、ラバーコーン２１を取り出し終えた後や台座１１を移動させた後、または、搬送中などに、図３に示すように、一対のコの字型の収容空間Ａに、標識２２の両端を挿入することにより、搬送機能付き標識具１０Ａを標識として用いることができる。また、搬送前に、一対のコの字型の収容空間Ａに、標識２２の両端を納めておけば、補強部１４を設けなくても台座１１の移動中にラバーコーン２１が落下するのを防止することができる。
【００３２】
なお、本実施形態では、取付部１５が、支柱１２Ａ、１２Ｂの長手方向に対して直交する方向の断面形状をＬ字型とした板状部材を用いているが、これに限定されるものではなく、標識２２が連結部１５から挿脱可能とできるものであればよく、例えば、一対のフックであってもよい。
【００３３】
＜ラバーコーン２１の搬送方法＞
次に、上記のような構成を有する搬送機能付き標識具１０Ａを用いたラバーコーン２１の搬送方法の一例を説明する。尚、図４中、搬送機能付き標識具１０Ａの移動方向を矢印で示す。図４に示すように、台座１１を移動させながら台座１１に載せているラバーコーン２１を、順次、路上に設置する。そして、図５に示すように、台座１１に積んだラバーコーン２１を、台座１１から全て取り出して路上に設置した後、搬送機能付き標識具１０Ａの取付部１５と支柱１２Ａまたは支柱１２Ｂとにより形成されるコの字型の内部には収容空間Ａに、標識２２の両端を挿入する。これにより、搬送機能付き標識具１０Ａが、識別標識として機能する。また、ラバーコーン２１を回収する際には、搬送機能付き標識具１０Ａを移動させながら、台座１１にラバーコーン２１を載せて回収する。
【００３４】
よって、搬送機能付き標識具１０Ａは、台座１１を移動させながらラバーコーン２１を台座１１から取り出し、標識２２の設置台として用いることができると共に、台座１１を移動させながらラバーコーン２１を台座１１に回収することもできる。このため、搬送機能付き標識具１０Ａによれば、作業員の手作業によるラバーコーン２１の設置および回収の負担の軽減を図ることができると共に、広告として用いることができる。
【００３５】
このように、搬送機能付き標識具１０Ａは、ラバーコーン２１の運搬、設置および回収作業をより簡易かつ簡潔に行なうことができると共に、搬送機能付き標識具１０Ａを標識具として用いることができる。また、搬送機能付き標識具１０Ａは、車両の走行が困難な狭い空間でもラバーコーン２１の運搬、設置および回収を容易に行うことができる。更に、搬送機能付き標識具１０Ａは、従来開示されている装置に比べて構造が簡単であるため、作業員が容易に用いることができるという利点を有する。
【００３６】
なお、本実施形態においては、台座１１のラバーコーン２１の設置面積を１つ分としているが、台座１１の設置面積はこれに限定されるものではなく、例えば、図６に示すように、台座１１のラバーコーン２１の設置面積を２つ分としてもよい。これにより、より多くのラバーコーン２１の搬送が可能となると共に、支柱１２Ａと支柱１２Ｂとの間隔が広くなるため、設置できる看板の数を多くできると共に、より大きい看板を設置することもできる。
【００３７】
また、本実施形態においては、台座１１を１つとしているが、これに限定されるものではなく、台座１１を複数備え、それぞれの台座１１を直列に連結して複数の台座１１を同時に移動させるようにしてもよい。図７は、２つの台座１１を設けた場合の一例を示す図である。図７に示すように、搬送機能付き標識具１０Ｃは、２つの台座１１Ａ、１１Ｂと、台座１１Ａ、１１Ｂの対向する側面に設けられる一対の連結部２５と、それぞれの連結部２５同士を連結するワイヤー２６とを備えている。台座１１Ａ、１１Ｂのそれぞれの連結部２５をワイヤー２６で連結しているため、台座１１Ａ、１１Ｂを直列に連結した状態で同時に移動させることができる。これにより、ラバーコーン２１の設置および回収を２倍にすることができると共に、２つの標識２２を目的の所定位置に同時に設置することが可能となる。
【００３８】
［第２の実施形態］
＜搬送機能付き標識具＞
本発明による第２の実施形態に係る搬送機能付き標識具について、図面を参照して説明する。なお、本発明の第１の実施形態と同様の部材については、同一符号を付して重複した説明は省略する。図８は、本発明の第２の実施形態に係る搬送機能付き標識具の構成を示す図である。図８に示すように、搬送機能付き標識具３０Ａは、台座１１と、支柱３２と、補助台座３３と、キャスター（走行部）１３と、操作部３５と、連結部３６と、取付部１５とを備えており、取付部１５に標識が取り付けられる。
【００３９】
支柱３２は、台座１１を底部より所定間隔を持って保持している。また、４つの支柱３２は、その両端が連結部３６により連結されている。支柱３２の両端を連結部３６で連結することにより、台座１１を底部より所定間隔を持って保持した状態で、支柱３２を立設させることができる。
【００４０】
補助台座３３が、一対の支柱３２の側面に設けられ、一対の支柱３２の側面に溶接して連結されている。補助台座３３は、板状の部材で長方形状に形成し、内部に空洞を有するように構成されている。なお、補助台座３３は、内部に空洞を有する形状のものに限定されるものではなく、板状の部材であってもよい。
【００４１】
一対のキャスター１３が、補助台座３３の下部に設けられている。
【００４２】
操作部３５は、補助台座３３の上部に設けられ、支柱１２よりも高い位置で両端が連結され、Ｕ字型を形成している。操作部３５は、一対の支持部４１と把持部４２とを有し、一対の支持部４１が支柱１２よりも高い位置で把持部４２により連結されている。
【００４３】
取付部１５は、支柱３２に設けられ、具体的には、一対の支柱３２同士に対向して設けられている。ラバーコーン２１を取り出し終えた後や台座１１を移動させた後、または、搬送中などに、図９に示すように、一対のコの字型の収容空間Ａに、標識２２の両端を挿入することにより、搬送機能付き標識具３０Ａを標識として用いることができる。
【００４４】
＜ラバーコーン２１の搬送方法＞
次に、上記のような構成を有する搬送機能付き標識具３０Ａを用いたラバーコーン２１の搬送方法の一例を説明する。尚、図１０中、搬送機能付き標識具３０Ａの移動方向を矢印で示す。図１０に示すように、台座３１を進行方向に対して所定角度傾斜させながら台座３１を移動して、台座３１に載せているラバーコーン２１を、順次、路上に設置する。そして、図１０に示すように、台座３１に積んだラバーコーン２１を、台座３１から全て取り出して路上に設置した後、図１１に示すように、搬送機能付き標識具３０Ａの取付部１５に標識２２を取り付ける。これにより、搬送機能付き標識具３０Ａも識別標識として用いることができる。また、ラバーコーン２１を回収する際には、搬送機能付き標識具３０Ａを移動させながら、台座１１にラバーコーン２１を載せて回収する。
【００４５】
よって、搬送機能付き標識具３０Ａは、搬送機能付き標識具１０Ａと同様、台座１１を移動させながらラバーコーン２１を台座１１から取り出し、標識２２の設置台として用いることができると共に、台座１１を移動させながらラバーコーン２１を台座１１に回収することもできる。このため、搬送機能付き標識具３０Ａによっても、作業員の手作業によるラバーコーン２１の設置および回収の負担の軽減を図ることができると共に、広告などのとして用いることができる。
【００４６】
このように、搬送機能付き標識具３０Ａも、ラバーコーン２１の運搬、設置および回収作業をより簡易かつ簡潔に行なうことができると共に、搬送機能付き標識具３０Ａを標識具として用いることができる。また、搬送機能付き標識具３０Ａは、車両の走行が困難な狭い空間でもラバーコーン２１の運搬、設置および回収を容易に行うことができ、更に、従来開示されている装置に比べて構造が簡単であるため、作業員が容易に用いることができるという利点を有する。
【００４７】
なお、本実施形態においては、補助台座３３にキャスター３４を取り付けるようにしているが、これに限定されるものではなく、操作部３５にキャスター３４を取り付けるようにしてもよい。図１２は、搬送機能付き標識具３０Ａの他の構成の一例を示す図である。図１２に示すように、搬送機能付き標識具３０Ｂは、補助台座３３に代えて台座１１の側面から延設した延設部４４を備え、延設部４４の上部に操作部３５を設け、操作部３５にキャスター３４を取り付けるようにしている。これにより、例えば、図１３に示すように、台座３１を進行方向に対して所定角度傾斜させながら台座３１を移動させることができ、台座３１を移動させながらラバーコーン２１を台座３１から取り出し、標識２２の設置台として用いることができると共に、台座３１を移動させながらラバーコーン２１を台座３１に回収することもできる。
【符号の説明】
【００４８】
１０Ａ〜１０Ｃ、３０Ａ、３０Ｂ  搬送機能付き標識具
１１、１１Ａ、１１Ｂ、３１  台座
１２、３２  支柱
１３  キャスター（走行部）
１４  補強部
１５  取付部
２１  ラバーコーン
２２  標識
２５  連結部
２６  ワイヤー
３３  補助台座
３５  操作部
３６  連結部
４１  支持部
４２  把持部
４４  延設部
【図１】
2015067948.tif 000003
【図２】
2015067948.tif 000004
【図３】
2015067948.tif 000005
【図４】
2015067948.tif 000006
【図５】
2015067948.tif 000007
【図６】
2015067948.tif 000008
【図７】
2015067948.tif 000009
【図８】
2015067948.tif 000010
【図９】
2015067948.tif 000011
【図１０】
2015067948.tif 000012
【図１１】
2015067948.tif 000013
【図１２】
2015067948.tif 000014
【図１３】
2015067948.tif 000015
【図１４】
2015067948.tif 000016